(57)【要約】【課題】複数の文字種を効率的に入力することができる携帯情報端末を提供する。【解決手段】携帯情報端末１は、ディスプレイ４と、複数の文字種ごとに文字を一覧表示するための複数の配列表を記憶する記憶部３２と、ユーザが操作するための操作部１７と、ディスプレイに配列表を表示させ、文字の入力処理を制御するための制御部３０とを備える。制御部３０は、表示ドライバ部３４に対し、操作部１７を介したユーザからの指示に応じて、絵文字・記号パレット情報３２ａまたは英数パレット情報３２ｂから読み込んだパレットをディスプレイ４に表示させるように指示する。【選択図】図３
2008171127.tif 000002
【特許請求の範囲】
【請求項１】
表示手段と、
ユーザが文字入力の操作をするための第１の操作キーおよび第２の操作キーを有する操作手段と、
前記文字入力の処理を制御するための制御手段とを備え、
前記制御手段は、
前記第１の操作キーによる第１文字種の文字入力状態における入力待機表示および前記第２の操作キーによる第２文字種の文字入力状態における文字入力のための表示を、同時に前記表示手段に表示させるための表示制御手段と、
前記第１文字種の文字入力状態および前記第２文字種の文字入力状態を維持した状態で、前記第１の操作キーまたは前記第２の操作キーに応じて、前記第１文字種または前記第２文字種の入力を受付ける入力制御手段とを含む、携帯情報端末。
【請求項２】
前記表示制御手段は、前記表示手段に前記第１の操作キーによる第１文字種の文字入力状態における入力待機表示を表示中に、第１の所定の操作に応じて、前記第２の操作キーによる第２文字種の文字入力状態における文字入力のための表示をさせる、請求項１記載の携帯情報端末。
【請求項３】
前記入力制御手段は、前記第１文字種の文字入力状態および前記第２文字種の文字入力状態が維持された状態において、前記第２の操作キーによる操作に応じて、前記第２文字種の文字を連続的に受付ける、請求項２記載の携帯情報端末。
【請求項４】
複数の前記第２文字種のそれぞれを一覧表示するための複数の第２文字種配列表を記憶する記憶手段をさらに備え、
前記表示制御手段は、前記第２文字種の文字入力状態における文字入力のための表示に前記第２文字種配列表を表示させ、
前記入力制御手段は、前記第２の操作キーによって選択指示された前記第２文字種配列表中の文字を前記文字入力として受付ける、請求項３記載の携帯情報端末。
【請求項５】
前記記憶手段は、複数の第３文字種のそれぞれを一覧表示するための複数の第３文字種配列表を記憶し、
前記操作手段は、第３の操作キーを有し、
前記表示制御手段は、前記第１文字種の文字入力状態において、前記第３の操作キーの第１の態様での操作により前記第２文字種配列表のいずれかを表示させ、前記第３の操作キーの第２の態様での操作により前記第３文字種配列表のいずれかを表示させる、請求項４記載の携帯情報端末。
【請求項６】
複数の前記第２文字種のそれぞれを一覧表示するための第２文字種配列表および前記第２文字種とは異なる第３文字種のそれぞれを一覧表示するための第３文字種配列表を記憶する記憶手段をさらに備え、
前記表示制御手段は、
ｉ）前記第２文字種の文字入力状態における文字入力のための表示として前記第２文字種配列表を表示させ、
ｉｉ）前記第１の操作キーによる前記入力待機表示、および前記第２の操作キーによる前記第３文字種の文字入力状態における文字入力のための前記第３文字種配列表を、同時に前記表示手段に表示させ、
前記第２文字種配列表の表示中において、前記表示制御手段が、前記第２文字種配列表の表示を維持した状態で、前記入力制御手段は、前記第２文字種配列表中の文字を前記文字入力として連続的に受付け、
前記第３文字種配列表の表示中において、前記入力制御手段は、前記第３文字種配列表中の文字を前記文字入力として受付けるとともに、前記表示制御手段は、前記入力制御手段が前記第３文字種配列表中の文字を前記文字入力として受付けたことに応じて、前記第３文字種配列表の表示を解除する、請求項１記載の携帯情報端末。
【請求項７】
前記第１の態様は、前記第３の操作キーを所定時間未満押下することであり、
前記第２の態様は、前記第３の操作キーを所定時間以上押下することである、請求項５記載の携帯情報端末。
【請求項８】
前記表示制御手段は、第２の所定の操作に応じて、複数の前記第２文字種配列表のうち、前記表示手段に表示された前記第２文字種配列表とは異なる配列表の表示に切り替える、請求項１または２記載の携帯情報端末。
【請求項９】
前記第２文字種は英数字である、請求項１または２記載の携帯情報端末。
【請求項１０】
前記表示制御手段は、全角英数字の配列表と半角英数字の配列表の表示を切り替える、請求項８記載の携帯情報端末。
【請求項１１】
前記表示制御手段は、大文字英数字の配列表と小文字英数字の配列表の表示を切り替える、請求項８記載の携帯情報端末。
【請求項１２】
前記第２文字種は絵記号である、請求項１または２記載の携帯情報端末。
【請求項１３】
前記表示制御手段は、第１の絵記号を含む配列表と第２の絵記号を含む配列表の表示を切り替える、請求項８記載の携帯情報端末。
【請求項１４】
前記第１の操作キーは、数字キー、アスタリスクキーおよびシャープキーである、請求項１記載の携帯情報端末。
【請求項１５】
前記第２の操作キーは、カーソルキーである、請求項１記載の携帯情報端末。
【請求項１６】
前記表示制御手段は、前記第１文字種の文字入力状態および前記第２文字種の文字入力状態が維持された状態において、前記第１の操作キーによる操作に応じて、前記表示手段に表示されている前記第２文字種の文字入力状態における文字入力のための表示を解除する、請求項１または２記載の携帯情報端末。
【請求項１７】
前記表示制御手段は、前記第１文字種の文字入力状態および前記第２文字種の文字入力状態が維持された状態において、前記第１の操作キーによる操作に応じて、前記表示手段に表示されている前記第２文字種の文字入力状態における文字入力のための表示を維持する、請求項１または２記載の携帯情報端末。
【請求項１８】
前記第２文字種の文字入力状態における文字入力のための表示は、前記表示制御手段に対し、第３文字種の文字入力状態における文字入力のための表示をするよう指示するための機能表示を含む、請求項１または２記載の携帯情報端末。
【請求項１９】
前記ユーザが通信するための通信制御手段をさらに備える、請求項１記載の携帯情報端末。
【請求項２０】
演算部を有するコンピュータに文字入力処理をさせるための制御プログラムであって、
前記コンピュータは、表示装置およびユーザが文字入力の操作をするための第１の操作キーと第２の操作キーとを有する操作手段が接続され、
前記演算部は、前記第１の操作キーによる第１文字種の文字入力状態における入力待機表示および前記第２の操作キーによる第２文字種の文字入力状態における文字入力のための表示を、同時に前記表示装置に表示させるためのステップと、
前記演算部は、前記第１文字種の文字入力状態および前記第２文字種の文字入力状態を維持した状態で、前記第１の操作キーまたは前記第２の操作キーに応じて、前記第１文字種または前記第２文字種の入力を受付けるステップとを備える、制御プログラム。
【発明の詳細な説明】
【技術分野】
【０００１】
本発明は、携帯情報端末および文字入力処理の制御プログラムに関する。
【背景技術】
【０００２】
コンピュータで文字入力を行なう場合、かな文字、数字、英字などの複数の文字種を用いる必要がある。携帯電話機などの携帯情報端末では操作できるキーが少ないため、１つのキーに複数の文字を割り当てて、文字種を切り替えて文字を入力したり、文字の配列表を用いて選択指示した文字を入力したりする方法がある。
【０００３】
たとえば、特許文献１では、補助キーボードによって入力モードの切り替えを容易に行なう方法が提案されている。また、特許文献２では、文字の配列表を画面に表示させ、その配列表の中から入力する文字を選択させる方法が提案されている。また、特許文献３では、よく用いる絵文字や記号を配列表に登録し、より早く文字等を入力する方法が提案されている。
【特許文献１】特開２００１−１４２６１２号公報
【特許文献２】特開２００３−５８３０５号公報
【特許文献３】特開２００６−２１１２９４号公報
【発明の開示】
【発明が解決しようとする課題】
【０００４】
しかしながら、特許文献１の方法では、ハードウェアを追加するため、携帯電話機等に用いると携帯性が損なわれる。
【０００５】
また、特許文献２や特許文献３の方法では、配列表にして一画面に表示できる文字数は限られているため、配列表は複数のページから構成されることとなる。このため、所望の文字を入力させるには、その文字を含む配列表のページを画面に表示させる操作が必要であり、操作性が悪くなる。たとえば、かな文字を入力中に、数字や英字を入力したい場合などは、配列表のページを何度も切り替える必要がある。
【０００６】
本発明は、上記のような問題を解決するためになされたものであって、その目的は、複数の文字種を効率的に入力することができる携帯情報端末を提供することである。
【課題を解決するための手段】
【０００７】
本発明の１つの局面に従うと、携帯情報端末であって、表示手段と、ユーザが文字入力の操作をするための第１の操作キーおよび第２の操作キーを有する操作手段と、文字入力の処理を制御するための制御手段とを備え、制御手段は、第１の操作キーによる第１文字種の文字入力状態における入力待機表示および第２の操作キーによる第２文字種の文字入力状態における文字入力のための表示を、同時に表示手段に表示させるための表示制御手段と、第１文字種の文字入力状態および第２文字種の文字入力状態を維持した状態で、第１の操作キーまたは第２の操作キーに応じて、第１文字種または第２文字種の入力を受付ける入力制御手段とを含む。
【０００８】
好ましくは、表示制御手段は、表示手段に第１の操作キーによる第１文字種の文字入力状態における入力待機表示を表示中に、第１の所定の操作に応じて、第２の操作キーによる第２文字種の文字入力状態における文字入力のための表示をさせる。
【０００９】
好ましくは、入力制御手段は、第１文字種の文字入力状態および第２文字種の文字入力状態が維持された状態において、第２の操作キーによる操作に応じて、第２文字種の文字を連続的に受付ける。
【００１０】
好ましくは、複数の第２文字種のそれぞれを一覧表示するための複数の第２文字種配列表を記憶する記憶手段をさらに備え、表示制御手段は、第２文字種の文字入力状態における文字入力のための表示に第２文字種配列表を表示させ、入力制御手段は、第２の操作キーによって選択指示された第２文字種配列表中の文字を文字入力として受付ける。
【００１１】
好ましくは、記憶手段は、複数の第３文字種のそれぞれを一覧表示するための複数の第３文字種配列表を記憶し、操作手段は、第３の操作キーを有し、表示制御手段は、第１文字種の文字入力状態において、第３の操作キーの第１の態様での操作により第２文字種配列表のいずれかを表示させ、第３の操作キーの第２の態様での操作により第３文字種配列表のいずれかを表示させる。
【００１２】
好ましくは、複数の第２文字種のそれぞれを一覧表示するための第２文字種配列表および第２文字種とは異なる第３文字種のそれぞれを一覧表示するための第３文字種配列表を記憶する記憶手段をさらに備え、表示制御手段は、（ｉ）第２文字種の文字入力状態における文字入力のための表示として第２文字種配列表を表示させ、（ｉｉ）第１の操作キーによる入力待機表示、および第２の操作キーによる第３文字種の文字入力状態における文字入力のための第３文字種配列表を、同時に表示手段に表示させ、第２文字種配列表の表示中において、表示制御手段が、第２文字種配列表の表示を維持した状態で、入力制御手段は、第２文字種配列表中の文字を文字入力として連続的に受付け、第３文字種配列表の表示中において、入力制御手段は、第３文字種配列表中の文字を文字入力として受付けるとともに、表示制御手段は、入力制御手段が第３文字種配列表中の文字を文字入力として受付けたことに応じて、第３文字種配列表の表示を解除する。
【００１３】
好ましくは、第１の態様は、第３の操作キーを所定時間未満押下することであり、第２の態様は、第３の操作キーを所定時間以上押下することである。
【００１４】
好ましくは、表示制御手段は、第２の所定の操作に応じて、複数の第２文字種配列表のうち、表示手段に表示された第２文字種配列表とは異なる配列表の表示に切り替える。
【００１５】
好ましくは、第２文字種は英数字である。
好ましくは、表示制御手段は、全角英数字の配列表と半角英数字の配列表の表示を切り替える。
【００１６】
好ましくは、表示制御手段は、大文字英数字の配列表と小文字英数字の配列表の表示を切り替える。
【００１７】
好ましくは、第２文字種は絵記号である。
好ましくは、表示制御手段は、第１の絵記号を含む配列表と第２の絵記号を含む配列表の表示を切り替える。
【００１８】
好ましくは、第１の操作キーは、数字キー、アスタリスクキーおよびシャープキーである。
【００１９】
好ましくは、第２の操作キーは、カーソルキーである。
好ましくは、表示制御手段は、第１文字種の文字入力状態および第２文字種の文字入力状態が維持された状態において、第１の操作キーによる操作に応じて、表示手段に表示されている第２文字種の文字入力状態における文字入力のための表示を解除する。
【００２０】
好ましくは、表示制御手段は、第１文字種の文字入力状態および第２文字種の文字入力状態が維持された状態において、第１の操作キーによる操作に応じて、表示手段に表示されている第２文字種の文字入力状態における文字入力のための表示を維持する。
【００２１】
好ましくは、第２文字種の文字入力状態における文字入力のための表示は、表示制御手段に対し、第３文字種の文字入力状態における文字入力のための表示をするよう指示するための機能表示を含む。
【００２２】
好ましくは、ユーザが通信するための通信制御手段をさらに備える。
本発明の他の局面に従うと、演算部を有するコンピュータに文字入力処理をさせるための制御プログラムであって、コンピュータは、表示装置およびユーザが文字入力の操作をするための第１の操作キーと第２の操作キーとを有する操作手段が接続され、演算部は、第１の操作キーによる第１文字種の文字入力状態における入力待機表示および第２の操作キーによる第２文字種の文字入力状態における文字入力のための表示を、同時に表示装置に表示させるためのステップと、演算部は、第１文字種の文字入力状態および第２文字種の文字入力状態を維持した状態で、第１の操作キーまたは第２の操作キーに応じて、第１文字種または第２文字種の入力を受付けるステップとを備える。
【発明の効果】
【００２３】
本発明によれば、複数の文字種を効率的に入力することができる。
【発明を実施するための最良の形態】
【００２４】
以下、図面を参照しつつ本発明の実施の形態を、携帯電話機に実施した場合について説明する。以下の説明では、同一の部品には同一の符号を付してある。それらの名称および機能も同じである。したがって、それらについては詳細な説明は繰り返さない。
【００２５】
本発明に係る携帯情報端末の説明に先立って、携帯電話機における一般的な日本語入力方法について簡単に説明する。
【００２６】
携帯電話機は操作できるキーの数が少なく、各キーには複数の文字が割り当てられる。このため、一般的には、入力モードを切り替えて各キーを押下することで、所望の文字を入力する。
【００２７】
たとえば、かな文字入力中に全角または半角の数字や英字を入力したい場合は、「かな漢字モード」から「全角または半角の英数モード」に切り替えて数字等を入力し、再度「かな漢字モード」に戻してかな文字入力を行なう。しかし、入力モードを切り替える方法は、一時的に数字や英字を入力する場合は、操作の効率が悪くなる。
【００２８】
このため、入力モードの切り替えを行なわず、入力したい英数字の読みをかな文字入力して、変換エンジンが変換候補として挙げた数字、英字を選択するという方法がある。しかし、変換エンジンの機能を利用する方法は、変換エンジンの機能スペックに依存するため、変換エンジンによっては、このような機能が使えないこともある。さらに、変換エンジンは、かな漢字モードでしか利用できないことが多く、入力モードによっては変換エンジンを起動させることができない。
【００２９】
本発明に係る携帯情報端末は、文字入力の際、簡単なキー操作により英数字が一覧できる配列表を表示する。つまり、テンキーによる文字入力の状態と、配列表による文字入力の状態とを同時に起動させることができる。これにより、任意の入力モードにおいて、変換エンジンの機能スペックに関係なく簡単に英数字を入力することができる。なお、以下の説明では、文字等を一覧表示するための配列表を「パレット」と呼ぶ。
【００３０】
また、以下では日本語入力を例に説明するが、本発明は、第１の言語で使用される第１の文字種（たとえば、ひら仮名）の入力モード中において、第１の言語の第２の文字種（第１の文字種とは異なる、たとえば絵文字などの文字種）、または第２の言語の文字種であって第１の文字種とは異なる第３の文字種（たとえば、英字）を入力するような場合に用いることができる。ここで、「文字種」とは、ある入力モードにおいて、入力操作によって選択することができる、予め定められた文字の範囲のことをいう。つまり、第１の文字種、第２の文字種および第３の文字種は排他的な関係になく、同じ文字が含まれていてもよい。
【００３１】
［実施の形態１］
図１は、本実施の形態に係る携帯情報端末１の一例を示した斜視図であり、筐体を展開した状態を示した図である。
【００３２】
図２は、携帯情報端末１の筐体を閉じた状態を示す図である。
図１および図２を参照して、携帯情報端末１について説明する。この携帯情報端末１は、いわゆる折り畳み式の携帯電話機であり、第１の筐体２および第２の筐体３が図示しないヒンジ部を介して連結され、第１の筐体２および第２の筐体３の筐体面を対向させた状態で折り畳むことができるようになっている。
【００３３】
第１の筐体２は、ディスプレイ４およびスピーカ６０を備える。
第２の筐体３は、アンテナ７を備える。さらに、第２の筐体３の内面側には、各種の操作キーおよび操作ボタンを含む操作部１７が設けられる。また、第２の筐体３の下端部内面側表面にはマイクロフォン５３が備えられる。操作部１７は、ソフトキー１０ａ，１０ｂ，１０ｃ，１０ｄと、テンキー１１と、方向キー１２と、確定キー１３と、オンフックキー１４と、クリアキー１５と、オフフックキー１６とを含む。
【００３４】
図３は、本実施の形態に係る携帯情報端末１の機能的構成を示す機能ブロック図である。
【００３５】
図３を参照して、携帯情報端末１の機能的構成について説明する。
携帯情報端末１の上記構成は、ＲＯＭ（Read Only Memory）およびＲＡＭ（Random Access Memory）などから構成される記憶部３２と、携帯情報端末１全体の制御を行なう制御部３０と、ユーザの操作により制御部３０へ動作の指示を行なう操作部１７と、アンテナ７および変調／復調機能を備える無線部６５を介して無線通信制御を行なう通信制御部３５と、マイクロフォン５３からの音声に対して信号処理を実行する音声信号処理部３９と、スピーカ６０へ音声などを出力するための信号再生処理を行なう再生回路３６と、ディスプレイ４に表示する画像の表示制御を行なう表示ドライバ部３４とから構成される。
【００３６】
記憶部３２は、制御部３０が実行するプログラム、文字等の各種データが予め格納されている。また、記憶部３２は、絵文字・記号パレット情報３２ａおよび英数パレット情報３２ｂを含む。
【００３７】
絵文字・記号パレット情報３２ａは、絵で事象や意味等を表現した複数のアイコンデータから構成される絵文字パレット、句読点、カンマ、ピリオドなどの記号のデータから構成される記号パレットおよび、文字や記号を組み合わせて顔の表情を表現した、記号の組み合わせのデータから構成される顔文字パレットを含む。なお、以下の説明では、絵文字パレット、記号パレットおよび顔文字パレットを総称して「絵記号パレット」と呼ぶ。
【００３８】
英数パレット情報３２ｂは、半角の英数小文字データから構成される半角英数小文字パレット、全角の英数小文字データから構成される全角英数小文字パレット、半角の英数大文字データから構成される半角英数大文字パレットおよび全角の英数大文字データから構成される全角英数大文字パレットを含む。なお、以下の説明では、半角英数小文字パレット、全角英数小文字パレット、半角英数大文字パレットおよび全角英数大文字パレットを総称して「英数パレット」と呼ぶ。英数パレットでは、英数字が一画面で表示できるように構成される。これにより、情報が分断されず一覧性が高まる。
【００３９】
制御部３０は、これらのパレット情報を記憶部３２から読み込むとともに、表示ドライバ部３４にパレット表示の切り替え等を指示する。また、キー操作によって選択指示される文字を入力文字として受け付ける。
【００４０】
表示ドライバ部３４は、制御部３０からの指示に従い、絵文字・記号パレット情報３２ａおよび英数パレット情報３２ｂに格納されたパレットのデータをディスプレイ４に表示させる。また、制御部３０の指示に従って、キー操作により選択指示された文字をディスプレイ４に表示させる。
【００４１】
図４は、操作部１７の配置例およびディスプレイ４の表示例を示した図である。特に、図４（ａ）は操作部１７の配置例、図４（ｂ）はディスプレイ４の文字入力画面の表示例、図４（ｃ）は絵記号パレットの表示例、図４（ｄ）は英数パレットの表示例を示している。
【００４２】
図４を参照して、ディスプレイ４の表示と操作部１７のキー操作について説明する。
まず、図４（ａ）を参照して、操作部１７の各キーについて説明する。
【００４３】
図４（ａ）に示すように、操作部１７は、携帯情報端末１を操作するためのキーとして、ソフトキー１０ａ，１０ｂ，１０ｃ，１０ｄと、テンキー１１と、方向キー１２と、確定キー１３と、オンフックキー１４と、クリアキー１５と、オフフックキー１６とを含む（図１参照）。なお、方向キー１２および確定キー１３はカーソルキーとして機能する。
【００４４】
各ソフトキーに対しては、ディスプレイ上にそのキーに割り当てられた少なくとも１つの機能が表示される。このため、アプリケーションごとに異なる機能を割り当てることができる。
【００４５】
テンキー１１は、数字キー１８、「＊」キー（アスタリスクキー）１９および「＃」キー（シャープキー）２０を含む。
【００４６】
数字キー１８は、数字のほか、かな文字、記号文字、アルファベット等がディスプレイ４に表示される入力文字として割り当てられている。たとえば、「１」のキーには、数字の「１」、かな文字の「あ」「い」「う」「え」「お」、記号の「．」「＠」などが割り当てられている。また、「２」のキーには、数字の「２」、かな文字の「か」「き」「く」「け」「こ」、アルファベットの「Ａ」「Ｂ」「Ｃ」などが割り当てられている。なお、入力モードごとに、キー押下によって入力できる文字は予め設定されているものとする。また、入力文字は、キーの押下回数により巡回的に切り替わるよう設計されている。
【００４７】
また、「＊」キー１９には「＊」が割り当てられている。さらに、かな文字に対して濁音を付したり、入力中のアルファベットの大文字や小文字表示を切り替えたりする機能が割り当てられている。
【００４８】
また、「＃」キー２０には「＃」が割り当てられている。さらに、文字入力中に改行を挿入する機能が割り当てられている。
【００４９】
次に、図４（ｂ）を参照して、文字入力画面において操作部１７と入力画面との対応関係について説明する。
【００５０】
図４（ｂ）に示す文字入力画面では、ユーザが操作部１７のいずれかのキーを押下することによって、カーソル１１４の示す箇所に文字が入力される。
【００５１】
ディスプレイ４の行１００には、現在表示されている画面において、操作部１７の、ソフトキー１０ｃ、「＃」キー２０、ソフトキー１０ｄが有する機能（それぞれ符号１０８，１１０，１１２で示される）が表示されている。
【００５２】
この例では、ソフトキー１０ｃを押下することにより、符号１０８で示す機能が実行され、入力モードが切り替わる。なお、現在の入力モードは符号１１６において示される。たとえば、かな文字が入力される「かな漢字モード」は「漢」、全角英数字が入力される「全角英字モード」は「Ａ」のように表示される。
【００５３】
上述したように、各数字キーには文字が割り当てられているが、入力モードによって、同じ数字キーでも入力できる文字の種類が異なる。たとえば、かな漢字モードにおいて、「１」のキーを押下すると、押下した回数に応じて「あ」「い」「う」「え」「お」が入力される。この他の入力モードとしては、全角カタカナモード、半角カタカナモード、全角英字モード、半角英字モード、数字モード等がある。各モードにおいて、キーの押下により予め設定された文字種が入力される。
【００５４】
また、「＃」キー２０を押下すると、符号１１０で示す機能が実行され、改行が挿入される。ソフトキー１０ｄを押下すると、符号１１２で示す機能が実行され、一般的によく使用される文章（定型文）が示された定型文選択画面が表示される。
【００５５】
ディスプレイ４の行１０１には、現在ディスプレイ４の行１０１に表示されている機能において、ソフトキー１０ａ、確定キー１３、ソフトキー１０ｂを押下すると実行される機能（それぞれ符号１０２，１０４，１０６で示される）の簡単な説明が示されている。
【００５６】
具体的には、ソフトキー１０ａを押下すると、符号１０２で示す機能が実行され、絵記号パレットのいずれか一つのパレットが表示される。たとえば、図４（ｃ）に示すような、絵文字パレットＰ１が示される。
【００５７】
また、確定キー１３を押下すると、符号１０４で示す機能が実行され、フォーカス１１４に表示される未確定状態の文字を入力文字として確定させる。
【００５８】
ソフトキー１０ｂを押下すると、符号１０６で示す機能が実行され、予め設定されている「メニュー」が表示される。
【００５９】
次に、図４（ｃ）を参照して、絵記号パレットが表示された画面において操作部１７と入力画面との対応関係について説明する。
【００６０】
図４（ｃ）に示すように、絵文字パレットＰ１が表示されている場合、ユーザは指示カーソル１２８を、方向キー１２を上下左右に押下することによりパレット内を移動させることができる。なお、絵文字パレットＰ１は、複数のページから構成されていてもよいし、後述する英数パレットのように一覧できるように構成されていても良い。複数のページから構成されている場合、指示カーソル１２８を移動させてパレットに表示されるページから外に出たときは、パレットに表示されるページは次のセクションの表示に切り替わる。
【００６１】
上述したように、ディスプレイ４の行１００および行１０１には、所定のキーを押下したときに実行される機能の簡単な説明が示されている。
【００６２】
ソフトキー１０ａを押下すると、符号１０２で示す機能が実行され、絵記号パレットの表示が切り替わる。
【００６３】
確定キー１３を押下すると、符号１０４で示す機能が実行され、指示カーソル１２８で選択されている絵文字がカーソル１１４の示す箇所に表示される。そして、ディスプレイ４では、絵文字パレットＰ１が表示されている画面から、図４（ｂ）に示す文字入力画面に表示が切り替わる。
【００６４】
ソフトキー１０ｂを押下すると、符号１０６で示す機能が実行され、指示カーソル１２８で選択されている絵文字がカーソル１１４の示す箇所に表示される。この場合、絵文字パレットＰ１の表示が維持され、引き続きパレット中の絵文字を選択指示して入力することができる。
【００６５】
クリアキー１５を押下すると、符号１２６で示す機能が実行され、絵文字パレットＰ１が閉じられ、ディスプレイ４は、図４（ｂ）に示す文字入力画面に切り替わる。
【００６６】
次に、図４（ｄ）を参照して、英数パレットが表示された画面において操作部１７と入力画面との対応関係について説明する。
【００６７】
図４（ｄ）に示すように、半角英数小文字パレットＰ１０が表示されている場合、絵文字パレットＰ１が表示されている場合と同様に、ユーザは指示カーソル１２８を、方向キー１２を上下左右に押下することによりパレット内を移動させることができる。なお、英数パレットは１ページで英数字を一覧できるように構成される。このため、指示カーソル１２８を移動させてパレットに表示されるページから外に出たときは、同じページ内をループする。
【００６８】
上述したように、ディスプレイ４の行１００および行１０１には、所定のキーを押下したときに実行される機能の簡単な説明が示されている。
【００６９】
ソフトキー１０ａを押下すると、符号１０２で示す機能が実行され、図４（ｄ）で示される半角英数小文字パレットＰ１０から全角英数小文字パレットの表示に切り替わる。つまり、全角と半角の表示切り替えが行なわれる。
【００７０】
確定キー１３を押下すると、符号１０４で示す機能が実行され、指示カーソル１２８で選択されている英数字がカーソル１１４の示す箇所に表示される。この場合、ディスプレイ４において、パレットＰ１０が表示されている画面が維持され、引き続きパレット中の半角英数小文字を選択指示して入力することができる。
【００７１】
ソフトキー１０ｂを押下すると、符号１０６で示す機能が実行され、図４（ｄ）で示される半角英数小文字パレットＰ１０から半角英数大文字パレットの表示に切り替わる。つまり、大文字と小文字の表示切り替えが行なわれる。
【００７２】
クリアキー１５を押下すると、符号１２６で示す機能が実行され、半角英数小文字パレットＰ１０が閉じられ、ディスプレイ４は、図４（ｂ）に示す文字入力画面に切り替わる。
【００７３】
なお、このような表示の切り替えは、英数パレットに限らず、上述の絵記号パレットにおいても行なうように設計することが可能である。たとえば、絵記号を、上記の英数パレットのように、予めいくつかのパレットに一覧表示できるように分ける。このように絵記号パレットを構成することで、英数パレットと同様に、表示の切り替えを行なうことができる。
【００７４】
図５は、本実施の形態に係る文字入力状態の遷移の様子を示した図である。
図５を参照して、入力状態の遷移について説明する。なお、以下の説明では、特に言及がない限り、ソフトキー１０ａをソフトキーＡ、ソフトキー１０ｂをソフトキーＢ、クリアキー１５をクリアキー、テンキー１１をテンキー、確定キー１３を確定キー、ディスプレイ４をディスプレイと呼ぶ。
【００７５】
本実施の形態に係る携帯情報端末１において、文字を入力する状態は、テンキー１１を押下することにより文字を入力するテンキー入力状態Ｍ１と、絵記号パレットのいずれかにより文字を入力する絵記号パレット入力状態Ｍ２と、英数パレットのいずれかにより文字を入力する英数パレット入力状態Ｍ３とがある。
【００７６】
テンキー入力状態Ｍ１では、任意の入力モードで文字を入力することができる。ここで、ソフトキーＡを押下すると、絵記号パレット入力状態Ｍ２に遷移する。また、ソフトキーＡを所定時間以上押下する（以下、「長押しする」と呼ぶ）と、英数パレット入力状態Ｍ３に遷移する。なお、以下の説明および図中では、ソフトキーＡを短く押下する場合は、単に「ソフトキーＡの押下」という。また、各入力状態へ遷移する際のソフトキーＡに対する操作は、押下や長押しすることに限られない。ソフトキーＡを長押しするかわりに、たとえば、連続してソフトキーＡを押下するようにしてもよいし、ソフトキーＡをタッチパネル等で実現し、ソフトキーＡに該当する部分を触れることで各入力状態へ遷移するようにしてもよい。
【００７７】
図５では、テンキー入力状態Ｍ１から絵記号パレット入力状態Ｍ２に遷移したときに表示されるパレットは、絵文字パレットＰ１としているが、前回遷移したときの絵記号パレット入力状態Ｍ２において最後に開いていたパレットでもよいし、予め設定されている他の絵記号パレットであってもよい。
【００７８】
絵記号パレット入力状態Ｍ２において、ソフトキーＡを押下すると、絵文字パレットＰ１、記号パレットＰ３，顔文字パレットＰ５が、キーの押下回数により巡回的に切り替わる。なお、この切り替わる順番は、図５に示す順番に限られない。
【００７９】
絵記号パレット入力状態Ｍ２において、クリアキーまたはテンキーを押下するとテンキー入力状態Ｍ１に遷移する。なお、テンキー入力状態Ｍ１では、絵記号パレット入力状態Ｍ２に遷移する前の入力モードが維持されている。
【００８０】
テンキー入力状態Ｍ１から英数パレット入力状態Ｍ３に遷移したときに表示されるパレットは、最初に遷移したときは、半角英数小文字パレットＰ１０とし、それ以降は前回遷移したときの英数パレット入力状態Ｍ３において最後に開いていたパレットとするが、予め設定されているパレットであってもよい。
【００８１】
英数パレット入力状態Ｍ３において、ソフトキーＡを押下すると、全角、半角の表示が切り替わる。たとえば、ディスプレイに半角英数小文字パレットＰ１０が表示されている場合は、ソフトキーＡの押下により全角英数小文字パレットＰ１２に表示が切り替わる。
【００８２】
また、ソフトキーＢを押下すると、小文字、大文字の表示が切り替わる。たとえば、ディスプレイに半角英数小文字パレットＰ１０が表示されている場合、ソフトキーＢの押下により半角英数大文字パレットＰ１４に表示が切り替わる。
【００８３】
英数パレット入力状態Ｍ３において、クリアキーまたはテンキーを押下するとテンキー入力状態Ｍ１に遷移する。なお、テンキー入力状態Ｍ１では、英数パレット入力状態Ｍ３に遷移する前の入力モードが維持されている。
【００８４】
図６は、絵記号パレット入力状態Ｍ２におけるディスプレイの表示を説明するための図である。
【００８５】
図６を参照して、絵記号パレット入力状態Ｍ２におけるディスプレイの表示について説明する。
【００８６】
画面Ｓ１は、テンキー入力状態Ｍ１におけるディスプレイの画面を示す。ここで、ソフトキーＡを押下すると、絵記号パレット入力状態Ｍ２に遷移し、ディスプレイは、たとえば、画面Ｓ３のような表示になる。
【００８７】
画面Ｓ３は、絵文字パレットＰ１が表示された画面を示す。ここで、ソフトキーＡを押下すると、ディスプレイは画面Ｓ５に切り替わる。
【００８８】
画面Ｓ５は、記号パレットＰ３が表示された画面を示す。ここで、ソフトキーＡを押下するとディスプレイは画面Ｓ７に切り替わる。
【００８９】
画面Ｓ７は、顔文字パレットＰ５が表示された画面を示す。ここで、ソフトキーＡを押下するとディスプレイは画面Ｓ３に切り替わる。
【００９０】
このように、絵記号パレット入力状態Ｍ２では、キーの押下回数により巡回的にパレットの表示が切り替わる。
【００９１】
なお、ディスプレイに各パレットが表示されている場合に、ソフトキーＢを押下すると、指示カーソルで選択中の文字が入力され、再び各パレットが表示された画面となる。また、クリアキーまたは、テンキーまたは、確定キーのいずれかを押下すると、パレットが閉じられ、画面Ｓ１に切り替わる。つまり、絵記号パレット入力状態Ｍ２からテンキー入力状態Ｍ１に遷移する。
【００９２】
図７は、英数パレット入力状態Ｍ３におけるディスプレイの表示を説明するための図である。
【００９３】
図７を参照して、英数パレット入力状態Ｍ３におけるディスプレイの表示を説明する。
画面Ｓ１は、テンキー入力状態Ｍ１におけるディスプレイの画面を示す。ここで、ソフトキーＡを長押しすると、英数パレット入力状態Ｍ３に遷移し、ディスプレイは、前回英数パレット入力状態Ｍ３であったときに最後に開いていたパレット（画面Ｓ１０，Ｓ１２，Ｓ１４，Ｓ１６のいずれか）の表示になる。
【００９４】
画面Ｓ１０は、半角英数小パレットＰ１０が表示された画面を示す。ここで、ソフトキーＡを押下すると、パレットの全角、半角表示が切り替わり、ディスプレイは画面Ｓ１２のような表示になる。また、ソフトキーＢを押下すると、パレットの大文字、小文字表示が切り替わり、ディスプレイは画面Ｓ１４のような表示になる。
【００９５】
画面Ｓ１２は、全角英数小パレットＰ１２が表示された画面を示す。ここで、ソフトキーＡを押下すると、パレットの全角、半角表示が切り替わり、ディスプレイは画面Ｓ１０のような表示になる。また、ソフトキーＢを押下すると、パレットの大文字、小文字表示が切り替わり、ディスプレイは画面Ｓ１６のような表示になる。
【００９６】
画面Ｓ１４は、半角英数大パレットＰ１４が表示された画面を示す。ここで、ソフトキーＡを押下すると、パレットの全角、半角表示が切り替わり、ディスプレイは画面Ｓ１６のような表示になる。また、ソフトキーＢを押下すると、パレットの大文字、小文字表示が切り替わり、ディスプレイは画面Ｓ１０のような表示になる。
【００９７】
画面Ｓ１６は、全角英数大パレットＰ１６が表示された画面を示す。ここで、ソフトキーＡを押下すると、パレットの全角、半角表示が切り替わり、ディスプレイは画面Ｓ１４のような表示になる。また、ソフトキーＢを押下すると、パレットの大文字、小文字表示が切り替わり、ディスプレイは画面Ｓ１２のような表示になる。
【００９８】
このように、英数パレット入力状態Ｍ３では、ソフトキーＡおよびソフトキーＢを高々２回操作することによって、あるパレットから所望のパレットを表示させることができる。
【００９９】
なお、ディスプレイに各パレットが表示されている場合に、確定キーを押下すると、指示カーソルで選択中の文字が入力され、再び各パレットが表示された画面となる。また、クリアキーまたはテンキーを押下すると、パレットが閉じられ、画面Ｓ１に切り替わる。つまり、英数パレット入力状態Ｍ３からテンキー入力状態Ｍ１に遷移する。
【０１００】
図８は、文字入力を行なう処理の流れを示したフローチャートである。
図８を参照して、携帯情報端末１が字入力を行なう処理の流れについて説明する。なお、文字入力を行なう処理は、たとえば、携帯情報端末１のメールソフトが起動し、ディスプレイに、図４（ｂ）に示すようなメール本文作成画面が表示された場合に行なわれる。この場合において、制御部３０は、操作部１７を介したテンキーによる文字入力を待ち受ける待機状態となっている。また、ここでは、文字入力を行なう処理において、テンキー入力状態が初期の文字入力状態として設定されていることとするが、絵記号パレット入力状態または英数パレット入力状態を初期状態に設定してもよい。
【０１０１】
図８のフローチャートに示される処理は、制御部３０として機能するプロセッサが記憶部３２に記憶されるプログラムを読み出して実行し、図３に示された各部を制御することによって実現される。また、図８のフローチャートで示す処理は、文字入力を行なう処理の一具体例に過ぎず、たとえば、ステップの順番を入れ替えて実行してもよい。
【０１０２】
ステップＳ１００において、制御部３０は、操作部１７においてキーが押下されたかどうかを判定する。キーが押下されていなければ（ステップＳ１００において、ＮＯ）、ステップＳ１００に戻る。
【０１０３】
一方、キーが押下されたと判断すれば（ステップＳ１００において、ＹＥＳ）、ステップＳ１０２において、制御部３０は、押下されたキーが文字入力の終了を示す操作であるかどうかを判定する。文字入力が終了と判断すれば（ステップＳ１０２において、ＹＥＳ）、文字入力を行なう処理を終了する。たとえば、オンフックキー１４が押下されると文字入力を行なう処理を終了する。
【０１０４】
一方、文字入力が終了でないと判断すれば（ステップＳ１０２において、ＮＯ）、ステップＳ１０４において、制御部３０は、押下されたテンキーに応じた文字の入力処理を行なう。たとえば、図４（ｂ）に示すようなメール本文作成画面において、テンキーが押下されると、そのテンキーに割り当てられた文字がカーソル１１４の示す箇所に表示される。
【０１０５】
そして、ステップＳ１０２に戻り、制御部３０は、再び操作部１７を介した操作を待ち受ける待機状態となる。
【０１０６】
以上のようにして、制御部３０はテンキーによる文字入力を行なう処理を実行する。さらに、制御部３０はこの処理と共に、次に示すような、ソフトキーＡの押下を判断する処理を並列して行なう。
【０１０７】
図９は、ソフトキーＡの押下を判断する処理の流れを示したフローチャートである。
図９を参照して、ソフトキーＡの押下を判断する処理について説明する。
【０１０８】
ステップＳ１０６において、制御部３０は、ソフトキーＡが押下されたかどうかを判定する。
【０１０９】
ソフトキーＡが押下されていないと判断すれば（ステップＳ１０６において、ＮＯ）、ステップＳ１０６の処理に戻り、制御部３０は、再びソフトキーＡの押下を判断する。
【０１１０】
また、ソフトキーＡが長押しされたと判断すれば（ステップＳ１０６において、長押し）、ステップＳ１０８において、制御部３０は、後述する英数パレット入力処理を実行し、ステップＳ１０６の処理に戻る。
【０１１１】
また、ソフトキーＡが短く押下されたと判断すれば（ステップＳ１０６において、短押し）、ステップＳ１１２において、制御部３０は、後述する絵記号パレット入力処理を実行し、ステップＳ１０６の処理に戻る。
【０１１２】
以上のようにして、制御部３０は、ソフトキーＡの押下を判断する処理を行なう。
上述したように、制御部３０は、図８で示した処理と図９で示した処理とを並列的に実行する。つまり、テンキーによる文字入力（図８で示した処理）とパレットによる文字入力（図９で示した処理）とを受付ける待機状態が同時に起動している。
【０１１３】
図１０は、本実施の形態に係る英数パレット入力処理の流れを示したフローチャートである。
【０１１４】
図１０を参照して、図９のステップＳ１０８における英数パレット入力処理について説明する。
【０１１５】
ステップＳ１３０において、制御部３０は、いずれのキーが押下されたかを確認する。
キーが押下されていないと判断すれば（ステップＳ１３０において、ＮＯ）、制御部３０はステップＳ１３０の処理に戻る。
【０１１６】
押下されたキーがソフトキーＡであると判断すれば（ステップＳ１３０において、ソフトキーＡ）、ステップＳ１３４において、制御部３０は、表示ドライバ部３４に対し、パレットの全角、半角の表示を切り替えるよう指示し、ステップＳ１３０の処理に戻る。
【０１１７】
押下されたキーがソフトキーＢであると判断すれば（ステップＳ１３０において、ソフトキーＢ）、ステップＳ１３６において、制御部３０は、表示ドライバ部３４に対し、パレットの大文字、小文字の表示を切り替えるよう指示し、ステップＳ１３０の処理に戻る。
【０１１８】
押下されたキーが確定キーであると判断すれば（ステップＳ１３０において、確定キー）、ステップＳ１３８において、制御部３０は、指示カーソルで選択した文字の入力を行ない、ステップＳ１３０の処理に戻る。
【０１１９】
押下されたキーが方向キーであると判断すれば（ステップＳ１３０において、方向キー）、ステップＳ１４０において、制御部３０は、表示ドライバ部３４に対し、指示カーソルを方向キーで押下された方向に移動させて表示するよう指示し、ステップＳ１３０の処理に戻る。
【０１２０】
押下されたキーがテンキーまたはクリアキーであると判断すれば（ステップＳ１３０において、テンキー、クリアキー）、制御部３０は、表示ドライバ部３４に対し、ディスプレイに表示されている英数パレットを閉じるよう指示し、英数パレット入力処理を終了する。なお、テンキーが押下された場合は、図８で示す処理（ステップＳ１０４）により文字入力がなされる。
【０１２１】
以上のようにして、英数パレット入力処理（図９のステップＳ１０８）を終了する。
図１１は、絵記号パレット入力処理の流れを示すフローチャートである。
【０１２２】
図１１を参照して、図９のステップＳ１１２における絵記号パレット入力処理について説明する。
【０１２３】
ステップＳ１５２において、制御部３０は、いずれのキーが押下されたかを確認する。
キーが押下されていないと判断すれば（ステップＳ１５２において、ＮＯ）、制御部３０はステップＳ１５２の処理に戻る。
【０１２４】
押下されたキーがソフトキーＡであると判断すれば（ステップＳ１５２において、ソフトキーＡ）、ステップＳ１５６において、制御部３０は、表示ドライバ部３４に対し、絵記号パレットの表示を切り替えるよう指示し、ステップＳ１５２の処理に戻る。
【０１２５】
押下されたキーが方向キーであると判断すれば（ステップＳ１５２において、方向キー）、ステップＳ１５８において、制御部３０は、表示ドライバ部３４に対し、指示カーソルを方向キーで押下された方向に移動させて表示するよう指示し、ステップＳ１５２の処理に戻る。
【０１２６】
押下されたキーが確定キー、またはソフトキーＢであると判断すれば（ステップＳ１５２において、ソフトキーＢ、確定キー）、ステップＳ１６０において、指示カーソルで選択した文字の入力を行なう。
【０１２７】
次いで、ステップＳ１６２において、制御部３０は、押下されたキーが確定キーであったかどうかを判定する。押下されたキーが確定キーであると判断すれば（ステップＳ１６２において、ＹＥＳ）、制御部３０は、絵記号パレット入力処理を終了する。
【０１２８】
一方、押下されたキーがソフトキーＢであると判断すれば（ステップＳ１６２において、ＮＯ）、制御部３０はパレットの表示を維持し、ステップＳ１５２の処理に戻る。
【０１２９】
押下されたキーがテンキーまたはクリアキーであると判断すれば（ステップＳ１５２において、テンキー、クリアキー）、制御部３０は、表示ドライバ部３４に対し、ディスプレイに表示されている絵記号パレットを閉じるよう指示し、絵記号パレット入力処理を終了する。なお、ここでテンキーが押下されていれば、図８で示す処理（ステップＳ１０４）により文字入力がなされる。
【０１３０】
以上のようにして絵記号パレット入力処理（図９のステップＳ１１２）を終了する。なお、絵記号パレットに含まれる絵文字等は、連続して入力される頻度が低い傾向にある。このため、本実施の形態に係る絵記号パレット入力処理では、パレットから１文字入力すると絵記号パレット入力処理を終了するようにしているが、所定の文字数を入力すれば入力処理を終了するようにしてもよい。
【０１３１】
上述したように、本実施の形態に係る携帯情報端末は、文字入力の際、簡単なキー操作により英数字が一覧できるパレットを表示する。つまり、テンキーによる文字入力の状態と、配列表による文字入力の状態とを同時に起動させることができる。これにより、簡単に英数字を入力することができる。したがって、入力モードを切り替える手間が省ける。また、変換エンジンの機能とは無関係であるため、任意の入力モードにおいて英数パレットの表示ができる。
【０１３２】
なお、本実施の形態では、テンキー入力状態において、所定の操作により、（英数または絵記号）パレット入力状態となっていたが、文字入力の際の初期状態をパレット入力状態（つまり、テンキー入力状態とパレット入力状態とを同時に起動させる）にしてもよい。たとえば、アプリケーションが起動していない待機状態から特定のアプリケーションを起動させたり、ボタン操作以外の操作（たとえば、ディスプレイ回転機構を持つ携帯電話機ではディスプレイの回転）をしてアプリケーションを自動起動させたりして文字入力をする際に、初期の文字入力状態をパレット入力状態とし、テンキーからの文字入力およびパレットからの文字入力の両方を受付けるようにする。
【０１３３】
また、本実施の形態に係る携帯情報端末は、２種類のキーを用いてパレットの表示切り替えを行なう。これにより、ユーザは高々２回の操作によってあるパレットから所望のパレットを表示させることができる。したがって、巡回的にパレットを表示させるよりも少ない操作でユーザは英数字を入力することができる。
【０１３４】
また、本実施の形態に係る携帯情報端末は、パレットを表示させる操作を同一のキーに割り当て、押下時間によって異なるパレット入力状態に遷移する。これにより、ユーザはパレットを表示させる操作を想起しやすくなる。また、パレットを巡回的に表示させるよりも少ない操作でユーザは所望のパレットを表示させることができる。また、各パレット入力状態に遷移するための操作が明確に異なるため、各パレット入力状態におけるソフトキーへの機能の割り当てを違うものにしてもユーザにソフトキーに異なる機能が割り当てられていることを喚起させやすい。
【０１３５】
また、本実施の形態に係る携帯情報端末は、英数字を全角と半角、大文字と小文字、それぞれの文字種でパレットに表示させる。これにより、携帯情報端末のような小さな画面においても、各パレットによって文字を一覧することができる。したがって、ユーザはパレットのページを切り替えることなく英数字を入力することができる。また、ユーザは視覚的に文字を確認しながら選択して入力することができるため、入力操作がしやすい。特に、２タッチ入力でのアルファベット入力は大変分かりにくいため、２タッチ入力ユーザには英数パレットによる文字入力が非常に有用であると考えられる。
【０１３６】
また、本実施の形態に係る携帯情報端末は、英数パレットの文字を連続して選択指示する機能を確定キー１５に割り当てている。確定キー１５は、ユーザが第２の筐体３を把持して文字入力する際に押下しやすい場所に配置されているため、ユーザは、英数字を素早く連続して入力することができる。
【０１３７】
［実施の形態２］
本実施の形態に係る携帯情報端末は、英数パレット入力状態において、英数パレットを表示させたままテンキーの操作により文字入力ができる点が実施の形態１に係る携帯情報端末と異なる。機能構成等は、実施の形態１で説明した携帯情報端末１と同じであるため説明は省略する。
【０１３８】
図１２は、本実施の形態に係る文字入力状態の遷移の様子を示した図である。
図１２を参照して、入力状態の遷移について説明する。
【０１３９】
テンキー入力状態Ｍ１では、任意の入力モードで文字を入力することができる。ここで、ソフトキーＡを長押しすると、英数パレット入力状態Ｍ３に遷移する。なお、ソフトキーＡを押下すると、絵記号パレット入力状態Ｍ２へ遷移するが、これについては、実施の形態１と同様であるため、説明は省略する。
【０１４０】
英数パレット入力状態Ｍ３におけるキー操作は、テンキー以外は実施の形態１と同じである。ここで、テンキーを押下すると、英数パレットを開く前の入力モードで文字が入力できる。この際、英数パレットは表示されたままとなっている。テンキーによる文字入力が確定すると、再びパレット入力状態に戻る。つまり、テンキー入力状態においてソフトキーＡを長押しすると、英数パレットとテンキーとの２系当による入力が可能な状態となる。
【０１４１】
図１３は、本実施の形態に係る文字入力の例を示す図である。
図１３を参照して、本実施の形態に係る文字入力について説明する。
【０１４２】
画面Ｓ２０は、テンキー入力状態Ｍ１におけるディスプレイの画面を示す。ここで、ソフトキーＡを長押しすると、英数パレット入力状態Ｍ３に遷移し、ディスプレイは、たとえば半角英数小文字パレットが表示される画面Ｓ２２に切り替わる。
【０１４３】
画面Ｓ２２において、英数パレットの文字を、方向キー等を押下することで選択して「１２」と入力すると、ディスプレイは画面Ｓ２４のような表示となる。
【０１４４】
次に、画面Ｓ２４において、テンキーを押下して「じ」と入力すると、ディスプレイは画面Ｓ２６のような表示となる。
【０１４５】
画面Ｓ２６に示すように、英数パレットは表示されたままである。文字の変換機能が割り当てられたキーを押下し、「時」と変換すると、ディスプレイは画面Ｓ２８のような表示となる。
【０１４６】
さらに、画面Ｓ２８において、英数パレットの文字を方向キー等を押下することで選択して「３０」と入力すると、ディスプレイは画面Ｓ３０のような表示となる。
【０１４７】
そして、画面Ｓ３０において、テンキーで「ふん」を入力し、「分」と変換すると、ディスプレイは画面Ｓ３２のような表示となる。
【０１４８】
画面Ｓ３２において、クリアキーを押下すると、英数パレットが閉じ、画面Ｓ３４のような文字入力画面に戻る。
【０１４９】
図１４は、本実施の形態に係る英数パレット入力処理の流れを示したフローチャートである。
【０１５０】
図１４を参照して、図１３で示した処理を可能にする英数パレット入力処理について説明する。なお、本実施の形態に係る携帯情報端末１では、図９のステップＳ１０８において、図１０で示した英数パレット入力処理に代わって、以下で説明する英数パレット入力処理が実行される。
【０１５１】
ステップＳ１７２において、制御部３０は、テンキー以外のいずれのキーが押下されたかを確認する。なお、テンキーが押下された場合は、図８で示す処理（ステップＳ１０４）により文字入力がなされ、パレットの表示は維持される。
【０１５２】
キーが押下されていないと判断すれば（ステップＳ１７２において、ＮＯ）、制御部３０はステップＳ１７２の処理に戻る。
【０１５３】
押下されたキーがソフトキーＡであると判断すれば（ステップＳ１７２において、ソフトキーＡ）、ステップＳ１７６において、制御部３０は、表示ドライバ部３４に対し、パレットの全角、半角の表示を切り替えるよう指示し、ステップＳ１７２の処理に戻る。
【０１５４】
押下されたキーがソフトキーＢであると判断すれば（ステップＳ１７２において、ソフトキーＢ）、ステップＳ１７８において、制御部３０は、表示ドライバ部３４に対し、パレットの大文字、小文字の表示を切り替えるよう指示し、ステップＳ１７２の処理に戻る。
【０１５５】
押下されたキーが確定キーであると判断すれば（ステップＳ１７２において、確定キー）、ステップＳ１８０において、制御部３０は、指示カーソルで選択した文字の入力を行なう。そして、ステップＳ１７２の処理に戻る。
【０１５６】
押下されたキーが方向キーであると判断すれば（ステップＳ１７２において、方向キー）、ステップＳ１８２において、制御部３０は、表示ドライバ部３４に対し、指示カーソルを方向キーで押下された方向に移動させて表示するよう指示し、ステップＳ１７２の処理に戻る。
【０１５７】
押下されたキーがクリアキーであると判断すれば（ステップＳ１７２において、クリアキー）、制御部３０は、表示ドライバ部３４に対し、ディスプレイに表示されている英数パレットを閉じるよう指示し、英数パレット入力処理を終了する。
【０１５８】
以上のようにして、英数パレット入力処理（図９のステップＳ１０８）を終了する。なお、本実施の形態では、上述したように、テンキーが押下されると図８で示す処理（ステップＳ１０４）により文字入力がなされ、パレットの表示は維持される。
【０１５９】
本実施の形態に係る携帯情報端末は、英数パレットを表示させたままテンキーの操作により文字入力ができる。これにより、本実施の形態１の効果に加え、英数字を連続して入力している場合であって一時的に入力モードを英数パレット表示前に戻したいときなど、入力モードを切り替えるキー操作の手間を省くことができる。
【０１６０】
なお、絵記号パレット入力状態においても、上述した英数パレット入力状態のときと同様に、パレットの表示を維持したままテンキーの操作により文字入力ができるようにすることもできるし、絵記号パレット入力状態および英数パレット入力状態のどちらの状態においてもパレットおよびテンキーによる２系統の文字入力を行なうこともできる。
【０１６１】
［実施の形態３］
本実施の形態に係る携帯情報端末は、英数パレットが、絵記号パレットの表示等を選択指示できる機能表示（アイコン）を含む点が実施の形態２に係る携帯情報端末と異なる。機能構成等は、実施の形態１で説明した携帯情報端末１と同じであるため説明は省略する。
【０１６２】
図１５は、本実施の形態に係る文字入力状態の遷移の様子を示した図である。
図１５を参照して、入力状態の遷移について説明する。
【０１６３】
テンキー入力状態Ｍ１では、任意の入力モードで文字を入力することができる。ここで、ソフトキーＡを長押しすると、英数パレット入力状態Ｍ３に遷移する。なお、ソフトキーＡを押下すると、絵記号パレット入力状態Ｍ２へ遷移するが、これについては、実施の形態１と同様であるため、説明は省略する。
【０１６４】
英数パレット入力状態Ｍ３におけるキー操作は、確定キー以外は実施の形態２と同じである。ただし、本実施の形態に係る英数パレットは、いずれかの絵記号パレットの表示を指示するアイコンと、英数パレットを閉じる指示をするアイコンを含む。
【０１６５】
ここで、確定キーによって、絵記号パレットの表示を示すアイコンが押下されると、絵記号パレット入力状態Ｍ４に遷移し、指示カーソルによって選択された絵記号パレットが表示される。
【０１６６】
また、確定キーによって、英数パレットを閉じるアイコンが押下されると、英数パレットを閉じて、テンキー入力状態Ｍ１に遷移する。
【０１６７】
絵記号パレット入力状態Ｍ４では、英数パレット入力状態において選択指示されたアイコンが示す、絵文字パレットＰ１、記号パレットＰ３、顔文字パレットＰ５のいずれかが表示される。各パレットにおいて指示カーソルを移動させ、確定キーで文字入力が行なわれると、英数パレット入力状態Ｍ２に遷移する。つまり、絵記号パレット入力状態Ｍ４では、英数パレット表示時において、絵文字等の一時的な入力を行なうことができる。
【０１６８】
図１６は、本実施の形態に係る文字入力の例を示す図である。
図１６を参照して、本実施の形態に係る文字入力について説明する。
【０１６９】
画面Ｓ４０は、英数パレット入力状態Ｍ２におけるディスプレイの画面を示す。半角英数小文字パレットＰ２０は、英数字等のほかにアイコン２００，２０２，２０４，２０６
を含む。これらのアイコンは、指示カーソル２１０によって選択することができる。
【０１７０】
アイコン２００は、絵文字パレットの表示処理を実行することを示す。アイコン２０２は、記号パレットの表示処理を実行することを示す。アイコン２０４は、顔文字パレットの表示処理を実行することを示す。アイコン２０６は、英数パレットを閉じる処理を実行することを示す。
【０１７１】
画面Ｓ４０において、方向キーにより、指示カーソル２１０をアイコン２００の箇所へ移動させると、ディスプレイは画面Ｓ４２のようになる。
【０１７２】
画面Ｓ４２において、確定キーにより、アイコン２００が選択指示されると、ディスプレイは画面Ｓ４４のようになる。
【０１７３】
画面Ｓ４４では、絵文字パレットＰ１が表示される。絵文字パレットＰ１の文字は、指示カーソル２１２を移動させて選択することができる。ここで、「☆」を選択指示すると、ディスプレイは画面Ｓ４６のようになる。
【０１７４】
画面Ｓ４６では、絵文字パレットＰ１が閉じ、符号２１４のように「☆」が表示される。そして、再び、半角英数小文字パレットＰ２０において指示カーソル２１０を移動させて英数字等を選択指示することができる。
【０１７５】
図１７は、本実施の形態に係る英数パレット入力処理の流れを示したフローチャートである。
【０１７６】
図１７を参照して、図１６で示した処理を可能にする英数パレット入力処理について説明する。なお、本実施の形態に係る携帯情報端末１では、図９のステップＳ１０８において、図１０で示した英数パレット入力処理に代わって、以下で説明する英数パレット入力処理が実行される。
【０１７７】
ステップＳ２０２において、制御部３０は、テンキー以外のいずれのキーが押下されたかを確認する。なお、テンキーが押下された場合は、図８で示す処理（ステップＳ１０４）により文字入力がなされ、パレットの表示は維持される。
【０１７８】
キーが押下されていないと判断すれば（ステップＳ２０２において、ＮＯ）、制御部３０はステップＳ２０２の処理に戻る。
【０１７９】
押下されたキーがソフトキーＡであると判断すれば（ステップＳ２０２において、ソフトキーＡ）、ステップＳ２０６において、制御部３０は、表示ドライバ部３４に対し、パレットの全角、半角の表示を切り替えるよう指示し、ステップＳ２０２の処理に戻る。
【０１８０】
押下されたキーがソフトキーＢであると判断すれば（ステップＳ２０２において、ソフトキーＢ）、ステップＳ２０８において、制御部３０は、表示ドライバ部３４に対し、パレットの大文字、小文字の表示を切り替えるよう指示し、ステップＳ２０２の処理に戻る。
【０１８１】
押下されたキーが方向キーであると判断すれば（ステップＳ２０２において、方向キー）、ステップＳ２１２において、制御部３０は、表示ドライバ部３４に対し、指示カーソルを方向キーで押下された方向に移動させて表示するよう指示し、ステップＳ２０２の処理に戻る。
【０１８２】
押下されたキーが確定キーであると判断すれば、（ステップＳ２０２において、確定キー）、ステップＳ２１４において、制御部３０は、パレットのどの文字が選択されたかを確認する。
【０１８３】
表示されているパレットの絵文字や英数字等が選択されたと判断すれば（ステップＳ２１４において、文字等）、ステップＳ２１６において、制御部３０は、選択された文字等を入力する。ここで、絵記号パレットの絵文字が入力されれば、制御部３０は、表示ドライバ部３４に対し、絵記号パレットの表示を解除するよう指示する。そして、ステップＳ２０２の処理に戻る。
【０１８４】
絵記号パレットのいずれかを表示するアイコンが選択されたと判断すれば（ステップＳ２１４において、絵記顔）、ステップＳ２１８において、制御部３０は、表示ドライバ部３４に対し、選択指示された絵記号パレットを表示するよう指示し、ステップＳ２０２の処理に戻る。
【０１８５】
英数パレットに含まれる、「戻る」アイコンが選択されたと判断すれば（ステップＳ２１４において、戻る）、制御部３０は、表示ドライバ部３４に対し、ディスプレイに表示されている英数パレットを閉じるよう指示し、英数パレット入力処理を終了する。
【０１８６】
押下されたキーがクリアキーであると判断すれば（ステップＳ２０２において、クリアキー）、制御部３０は、表示ドライバ部３４に対し、ディスプレイに表示されている英数パレットを閉じるよう指示し、英数パレット入力処理を終了する。
【０１８７】
以上のようにして、英数パレット入力処理（図９のステップＳ１０８）を終了する。なお、本実施の形態では、上述したように、テンキーが押下されると図８で示す処理（ステップＳ１０４）により文字入力がなされ、パレットの表示は維持される。
【０１８８】
本実施の形態に係る携帯情報端末は、絵記号パレットの表示等を選択指示できるアイコンを含む英数パレットを表示する。これにより、本実施の形態２の効果に加え、英数字を連続して入力している場合であって絵文字を入力したいときなど、英数パレットを閉じて、絵文字パレットを表示させるキー操作の手間を省くことができる。特に、絵文字は連続して入力させることが少ないため、一時的な絵文字入力の際に有効である。
【０１８９】
なお、絵記号パレット入力状態においても、上述した英数パレット入力状態のときと同様に、パレット中にアイコンを含ませることもできるし、絵記号パレット入力状態および英数パレット入力状態のどちらの状態においてもアイコンによって現在の入力状態からテンキー入力状態に遷移させたり、同じ入力状態における他のパレットを表示させたりすることもできる。
【０１９０】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１９１】
【図１】本実施の形態に係る携帯情報端末１の一例を示した斜視図である。
【図２】携帯情報端末１の筐体を閉じた状態を示す図である。
【図３】本実施の形態に係る携帯情報端末１の機能的構成を示す機能ブロック図である。
【図４】操作部１７の配置例およびディスプレイ４の表示例を示した図である。
【図５】本実施の形態に係る文字入力状態の遷移の様子を示した図である。
【図６】絵記号パレット入力状態Ｍ２におけるディスプレイの表示を説明するための図である。
【図７】英数パレット入力状態Ｍ３におけるディスプレイの表示を説明するための図である。
【図８】文字入力を行なう処理の流れを示したフローチャートである。
【図９】ソフトキーＡの押下を判断する処理の流れを示したフローチャートである。
【図１０】本実施の形態に係る英数パレット入力処理の流れを示したフローチャートである。
【図１１】絵記号パレット入力処理の流れを示すフローチャートである。
【図１２】本実施の形態に係る文字入力状態の遷移の様子を示した図である。
【図１３】本実施の形態に係る文字入力の例を示す図である。
【図１４】本実施の形態に係る英数パレット入力処理の流れを示したフローチャートである。
【図１５】本実施の形態に係る文字入力状態の遷移の様子を示した図である。
【図１６】本実施の形態に係る文字入力の例を示す図である。
【図１７】本実施の形態に係る英数パレット入力処理の流れを示したフローチャートである。
【符号の説明】
【０１９２】
１  携帯情報端末、２  第１の筐体、３  第２の筐体、４  ディスプレイ、７  アンテナ、１０ａ，１０ｂ，１０ｃ，１０ｄ  ソフトキー、１１  テンキー、１２  方向キー、１３  確定キー、１４  オンフックキー、１５  クリアキー、１６  オフフックキー、１７  操作部、３０  制御部、３２  記憶部、３４  表示ドライバ部、３５  通信制御部、３６  再生回路、３９  音声信号処理部、５３  マイクロフォン、６０  スピーカ、６５  無線部。
【図１】
2008171127.tif 000003
【図２】
2008171127.tif 000004
【図３】
2008171127.tif 000005
【図４】
2008171127.tif 000006
【図５】
2008171127.tif 000007
【図６】
2008171127.tif 000008
【図７】
2008171127.tif 000009
【図８】
2008171127.tif 000010
【図９】
2008171127.tif 000011
【図１０】
2008171127.tif 000012
【図１１】
2008171127.tif 000013
【図１２】
2008171127.tif 000014
【図１３】
2008171127.tif 000015
【図１４】
2008171127.tif 000016
【図１５】
2008171127.tif 000017
【図１６】
2008171127.tif 000018
【図１７】
2008171127.tif 000019